(57)【要約】【課題】物品に備えられたＩＣタグの位置を捜したり、ＩＣタグリーダの向きを変えたり等を行うことなく、極めて簡易にＩＣタグを捜し出すことができ、しかも、ＩＣタグの読み取り／書き込みを簡易かつ正確に行うことのできるＩＣタグの読み取り／書き込み方法及びＩＣタグリーダを提供する。【解決手段】本発明のＩＣタグの読み取り／書き込み方法は、コンクリート供試体１１に埋め込まれたＩＣタグ１２の情報の読み取り／書き込みを行う方法であり、ループ型アンテナ３、４それぞれのアンテナ面３ａ、４ａが互いに近接した状態で角度θにて互いに交差するＩＣタグリーダ１を用い、ＩＣタグリーダ１のアンテナ面３ａ、４ａをコンクリート供試体１１に挿通することにより、ＩＣタグ１２の情報の読み取り／書き込みを行う。【選択図】図２
2010231523.tif 000002
【特許請求の範囲】
【請求項１】
物品に取り付けられたＩＣタグの情報の読み取り／書き込みを行うＩＣタグの読み取り／書き込み方法であって、
ループ型アンテナを備えたＩＣタグリーダを用い、
前記物品、前記ＩＣタグリーダのいずれか一方または双方を動かすことにより、前記物品を前記ループ型アンテナに挿通させて前記物品に取り付けられた前記ＩＣタグの情報の読み取り／書き込みを行うことを特徴とするＩＣタグの読み取り／書き込み方法。
【請求項２】
物品に取り付けられたＩＣタグの情報の読み取り／書き込みを行うＩＣタグの読み取り／書き込み方法であって、
複数のループ型アンテナを備え、これらのループ型アンテナのそれぞれのアンテナ面を、これらのアンテナ面にて互いに交差させるか、または、これらのアンテナ面の延長上にて互いに交差させたＩＣタグリーダを用い、
前記物品、前記ＩＣタグリーダのいずれか一方または双方を動かすことにより、前記物品を前記複数のループ型アンテナのうち１つ以上に挿通させて前記物品に取り付けられた前記ＩＣタグの情報の読み取り／書き込みを行うことを特徴とするＩＣタグの読み取り／書き込み方法。
【請求項３】
物品に取り付けられたＩＣタグの情報の読み取り／書き込みを行うＩＣタグの読み取り／書き込み方法であって、
アンテナ線を複数回巻回して複数のループアンテナ部とし、これらのループアンテナ部のそれぞれのアンテナ面を互いに交差させたループ型アンテナを備えたＩＣタグリーダを用い、
前記物品、前記ＩＣタグリーダのいずれか一方または双方を動かすことにより、前記物品を前記複数のループアンテナ部のうち１つ以上に挿通させて前記物品に取り付けられた前記ＩＣタグの情報の読み取り／書き込みを行うことを特徴とするＩＣタグの読み取り／書き込み方法。
【請求項４】
前記物品は、コンクリート供試体であることを特徴とする請求項１ないし３のいずれか１項記載のＩＣタグの読み取り／書き込み方法。
【請求項５】
物品に取り付けられたＩＣタグの情報の読み取り／書き込みを行うＩＣタグリーダであって、
複数のループ型アンテナを備え、
これらのループ型アンテナのそれぞれのアンテナ面を、これらのアンテナ面にて互いに交差させるか、または、これらのアンテナ面の延長上にて互いに交差させたことを特徴とするＩＣタグリーダ。
【請求項６】
物品に取り付けられたＩＣタグの情報の読み取り／書き込みを行うＩＣタグリーダであって、
アンテナ線を複数回巻回して複数のループアンテナ部とし、これらのループアンテナ部のそれぞれのアンテナ面を互いに交差させたループ型アンテナを備えてなることを特徴とするＩＣタグリーダ。
【発明の詳細な説明】
【技術分野】
【０００１】
本発明は、ＩＣタグの読み取り／書き込み方法及びＩＣタグリーダに関し、更に詳しくは、ＩＣタグの情報の読み取り、または書き込み、あるいは読み取り及び書き込みを、簡単な装置で簡易に行うことのできるＩＣタグの読み取り／書き込み方法及びＩＣタグリーダに関するものである。
【背景技術】
【０００２】
従来、部材や製品等の物品に取り付けられたＩＣタグの情報を読み取るために、このＩＣタグと交信を行うアンテナ部を備えたＩＣタグリーダが用いられている。
ＩＣタグに書き込まれた情報の読み取りは、ＩＣタグリーダに備えられたアンテナ部と、ＩＣタグのアンテナ部との間で電波による交信を行うことにより行なわれている。また、ＩＣタグへの情報の書き込みも、上記のＩＣタグリーダに備えられたアンテナ部と、ＩＣタグのアンテナ部との間で電波による交信を行うことにより行なわれている。
【０００３】
例えば、コンクリート試験においては、コンクリート供試体にＩＣタグを埋め込みまたは取り付け、このＩＣタグの情報をＩＣタグリーダを用いて読み取り／書き込みすることが行われている。
このコンクリート試験は、コンクリートの建築物や構造体を建造する際に、打設されたコンクリートの品質を確認するために、このコンクリートと同一組成のコンクリート供試体を用いて行うものである。
このコンクリート試験では、生コンクリートから所定の出荷間隔あるいは打設間隔でその一部を抜き取り、この抜き取られた生コンクリートを用いて所定の規格及び基準に基づきコンクリート供試体を作製し、このコンクリート供試体に所定の養生を施した後、所定の検査機関にて強度試験等の各種試験を行っている。
【０００４】
近年では、ＩＣタグ（ＲＦＩＤ）等の無線タグを備えた非接触通信媒体をコンクリート供試体中に埋め込みまたは取り付け、この非接触通信媒体に、このコンクリート供試体に用いられたコンクリートに関する情報をＩＣタグリーダにて書き込み、このコンクリートに関する情報とコンクリート供試体とを対応させて管理する方法、あるいは、コンクリート供試体中に埋め込みまたは取り付けられた非接触通信媒体にＩＤ番号等を書き込み、このＩＤ番号等をＩＣタグリーダにて読み取り、この読み取ったＩＤ番号等とサーバやパーソナルコンピュータ等に記憶されたコンクリートに関する情報とを対応させて管理する方法等、が行われている（例えば、特許文献１等参照）。
これらの方法では、コンクリート供試体中に備えられた非接触通信媒体により、コンクリート供試体を作製する際に用いたコンクリートに関する情報と、コンクリート供試体とを対応させることにより、煩雑かつ多忙な作業を無くすとともに、コンクリート供試体及びそれに用いられるコンクリート等の情報を、簡易に、かつ間違いなく正確に管理することができる。
【先行技術文献】
【特許文献】
【０００５】
【特許文献１】特開２００８−１３９１７３号公報
【発明の概要】
【発明が解決しようとする課題】
【０００６】
ところで、従来のＩＣタグリーダを用いたＩＣタグの読み取り／書き込み方法では、物品から離れた位置で、ＩＣタグリーダのアンテナ面を物品に向けることによりＩＣタグの読み取り／書き込みを行っていた。
しかしながら、この方法では、ＩＣタグの読み取り／書き込みを行う際に、このＩＣタグリーダのアンテナ部のアンテナ面と、ＩＣタグのアンテナ部のアンテナ面とが、概ね平行に相対するように用いる必要があり、これらのアンテナ面の互いの向き（角度）が一定以上ずれてしまうと、ＩＣタグリーダにてＩＣタグを検出することができず、ＩＣタグからの情報の読み取りや、ＩＣタグへの情報の書き込みができなくなるという問題点があった。
したがって、ＩＣタグのアンテナ面がＩＣタグリーダのアンテナ面の向きと異なった向きで物品等に取り付けられていた場合には、ＩＣタグを検出することができず、そこで、ＩＣタグリーダのアンテナ面を物品の近傍で当該物品に向けながら、このＩＣタグリーダを物品等に沿って動かしたり、あるいはＩＣタグリーダのアンテナの向きを変えたりして、ＩＣタグの位置を見つけ出す必要があった。
【０００７】
また、ＩＣタグが、ＩＣタグリーダのアンテナの位置に対して、物品の裏側や側面に取り付けられていた場合には、ＩＣタグのアンテナ面とＩＣタグリーダのアンテナ面との向きが一致していても、電波が物品の内部を通過することができず、やはりＩＣタグを検出することができなかった。そこで、同様に、ＩＣタグリーダを物品等に沿って動かしたり、あるいはＩＣタグリーダのアンテナの向きを変えたりして、ＩＣタグの位置を見つけ出す必要があった。例えば、コンクリート供試体にＩＣタグを埋め込んだ場合、外側からではＩＣタグが埋め込まれた位置が分らず、このコンクリート供試体の周囲でＩＣタグリーダを動かし、ＩＣタグの位置を捜す必要があった。
このように、従来のＩＣタグリーダを用いてＩＣタグの読み取り／書き込みを行う場合、読み取り／書き込みを行うための作業が煩雑になるために、作業の効率化、情報管理の正確さを達成することが難しかった。
【０００８】
本発明は、上記の課題を解決するためになされたものであって、物品に備えられたＩＣタグの位置を捜したり、ＩＣタグリーダの向きを変えたり等を行うことなく、極めて簡易にＩＣタグを捜し出すことができ、しかも、ＩＣタグの読み取り／書き込みを簡易かつ正確に行うことのできるＩＣタグの読み取り／書き込み方法及びＩＣタグリーダを提供することを目的とする。
【課題を解決するための手段】
【０００９】
本発明者等は、上記課題を解決するために鋭意検討を行った結果、物品に取り付けられたＩＣタグの情報の読み取り／書き込みを行う際に、ループ型アンテナを備えたＩＣタグリーダを用いれば、このＩＣタグリーダのループ型アンテナに物品を挿通させるだけで、極めて簡易にＩＣタグを捜し出すことができ、しかも、ＩＣタグの読み取り／書き込みを簡易かつ正確に行うことができることを見出し、本発明を完成するに至った。
【００１０】
すなわち、本発明のＩＣタグの読み取り／書き込み方法の１つは、物品に取り付けられたＩＣタグの情報の読み取り／書き込みを行うＩＣタグの読み取り／書き込み方法であって、ループ型アンテナを備えたＩＣタグリーダを用い、前記物品、前記ＩＣタグリーダのいずれか一方または双方を動かすことにより、前記物品を前記ループ型アンテナに挿通させて前記物品に取り付けられた前記ＩＣタグの情報の読み取り／書き込みを行うことを特徴とする。
【００１１】
本発明のＩＣタグの読み取り／書き込み方法の他の１つは、物品に取り付けられたＩＣタグの情報の読み取り／書き込みを行うＩＣタグの読み取り／書き込み方法であって、複数のループ型アンテナを備え、これらのループ型アンテナのそれぞれのアンテナ面を、これらのアンテナ面にて互いに交差させるか、または、これらのアンテナ面の延長上にて互いに交差させたＩＣタグリーダを用い、前記物品、前記ＩＣタグリーダのいずれか一方または双方を動かすことにより、前記物品を前記複数のループ型アンテナのうち１つ以上に挿通させて前記物品に取り付けられた前記ＩＣタグの情報の読み取り／書き込みを行うことを特徴とする。
【００１２】
本発明のＩＣタグの読み取り／書き込み方法のさらに他の１つは、物品に取り付けられたＩＣタグの情報の読み取り／書き込みを行うＩＣタグの読み取り／書き込み方法であって、アンテナ線を複数回巻回して複数のループアンテナ部とし、これらのループアンテナ部のそれぞれのアンテナ面を互いに交差させたループ型アンテナを備えたＩＣタグリーダを用い、前記物品、前記ＩＣタグリーダのいずれか一方または双方を動かすことにより、前記物品を前記複数のループアンテナ部のうち１つ以上に挿通させて前記物品に取り付けられた前記ＩＣタグの情報の読み取り／書き込みを行うことを特徴とする。
【００１３】
本発明のＩＣタグの読み取り／書き込み方法では、前記物品は、コンクリート供試体であることが好ましい。
【００１４】
本発明のＩＣタグリーダの１つは、物品に取り付けられたＩＣタグの情報の読み取り／書き込みを行うＩＣタグリーダであって、複数のループ型アンテナを備え、これらのループ型アンテナのそれぞれのアンテナ面を、これらのアンテナ面にて互いに交差させるか、または、これらのアンテナ面の延長上にて互いに交差させたことを特徴とする。
【００１５】
本発明のＩＣタグリーダの他の１つは、物品に取り付けられたＩＣタグの情報の読み取り／書き込みを行うＩＣタグリーダであって、アンテナ線を複数回巻回して複数のループアンテナ部とし、これらのループアンテナ部のそれぞれのアンテナ面を互いに交差させたループ型アンテナを備えてなることを特徴とする。
【発明の効果】
【００１６】
本発明のＩＣタグの読み取り／書き込み方法によれば、ＩＣタグリーダのループ型アンテナに物品を挿通させるだけで、極めて簡易にＩＣタグを捜し出すことができ、このＩＣタグにおける情報の読み取り／書き込みを簡易かつ正確に行うことができる。したがって、ＩＣタグ情報の読み取り／書き込み作業の繁雑さをなくすことができ、この読み取り／書き込み作業の効率を向上させることができ、この読み取り／書き込みの正確性を向上させることができる。
【００１７】
本発明のＩＣタグリーダによれば、このＩＣタグリーダのループ型アンテナに物品を挿通させるだけでよいので、ＩＣタグの情報の読み取り／書き込みを簡易かつ正確に行うことができ、この読み取り／書き込み作業の効率性及び正確性を向上させることができる。
【図面の簡単な説明】
【００１８】
【図１】本発明の第１の実施形態のＩＣタグリーダを示す斜視図である。
【図２】本発明の第１の実施形態のＩＣタグリーダを用いたＩＣタグの読み取り／書き込み方法を示す模式図である。
【図３】本発明の第１の実施形態のＩＣタグリーダの変形例を示す斜視図である。
【図４】本発明の第１の実施形態のＩＣタグリーダの他の変形例を示す斜視図である。
【図５】本発明の第２の実施形態のＩＣタグリーダを示す斜視図である。
【図６】本発明の第２の実施形態のＩＣタグリーダを用いたＩＣタグの読み取り／書き込み方法を示す模式図である。
【発明を実施するための形態】
【００１９】
本発明のＩＣタグの読み取り／書き込み方法及びＩＣタグリーダを実施するための形態について、図面に基づき説明する。
なお、本形態は、発明の趣旨をより良く理解させるために具体的に説明するものであり、特に指定のない限り、本発明を限定するものではない。
【００２０】
「第１の実施形態」
図１は、本発明の第１の実施形態のＩＣタグリーダを示す斜視図であり、図において、１はＩＣタグリーダであり、物品に取り付けられたＩＣタグの情報の読み取り／書き込みを行う制御回路及びＩＣメモリ等の記憶回路等を内蔵したリーダ本体２と、このリーダ本体２の側面２ａから突出する複数のループ型アンテナ３、４（図１では、２つ）とにより構成されている。
【００２１】
ループ型アンテナ３、４は、アンテナ線が円環状に曲げ加工されており、それぞれのアンテナ面３ａ、４ａが互いに近接した状態で、これらのアンテナ面３ａ、４ａが、側面２ａから略垂直に突出する直線５を軸に回転することにより角度θにて互いに交差するようになっている。
これらのループ型アンテナ３、４は、物品をアンテナ面３ａ、４ａのうち少なくともいずれか一方に挿通することにより、この物品に取り付けられたＩＣタグの情報の読み取り／書き込みを十分に行うことができればよく、これらのアンテナ面３ａ、４ａのなす角度θについても特に制限は無いが、ＩＣタグの情報の読み取り／書き込みの精度や物品の挿通し易さ等を考慮すると、この角度θは、５°〜９０°の範囲が好ましく、より好ましくは５°〜４５°の範囲である。
【００２２】
このＩＣタグリーダ１は、ＩＣタグの情報の読み取り書き込みの両方を行う機能を有しているが、必要に応じて、ＩＣタグの情報を読み取る機能、ＩＣタグに情報を書き込む機能、のいずれか一方のみの機能を有していてもよい。
また、このＩＣタグリーダ１は複数のループ型アンテナ３、４を備えているが、用途や仕様等によっては、ＩＣタグリーダ１は１つのループ型アンテナ３（４）のみを備えた構成としてもよい。
また、上記のＩＣタグとは、ＲＦＩＤ等の電波により情報を交信する非接触通信媒体のことである。
【００２３】
このＩＣタグリーダ１の形状や大きさ等は、特に限定されないが、例えば、コンクリートの打設現場における使用等を考慮すると、携帯可能な形状や大きさが好ましい。このように、携帯可能な形状や大きさであれば、例えば、重量物であるコンクリート供試体を移動させることなく、作業現場で容易にＩＣタグの情報の読み取り／書き込みを行うことができるので好都合である。
【００２４】
特に、生コンクリート工場や建造物の施工現場では、毎日多数のコンクリート供試体を作製し、所定期間保管する必要があるので、多数のコンクリート供試体を保管場所から移動させてＩＣタグの情報の読み取り／書き込みを行い、コンクリート供試体を識別することは実際、困難である。このような場合、携帯可能なＩＣタグリーダを用いることにより、施工現場等で簡易にコンクリート供試体を識別することができる。
【００２５】
図３は、本実施形態のＩＣタグリーダの変形例を示す斜視図であり、このＩＣタグリーダ２１が上記のＩＣタグリーダ１と異なる点は、ループ型アンテナ３、４のアンテナ面３ａ、４ａが、側面２ａと略平行な直線２２を軸に回転することにより角度θにて互いに交差するようにした点であり、その他の点については、上記のＩＣタグリーダ１と全く同様である。
【００２６】
図４は、本実施形態のＩＣタグリーダの他の変形例を示す斜視図であり、このＩＣタグリーダ３１が上記のＩＣタグリーダ１と異なる点は、ループ型アンテナ３、４を互いに離間するように八の字状に広げた点、すなわち、これらのループ型アンテナ３、４のアンテナ面３ａ、４ａ上のそれぞれの直線３２、３３の延長線上の交点３４にて、角度θにて互いに交差させた点であり、その他の点については、上記のＩＣタグリーダ１と全く同様である。
【００２７】
なお、これらのＩＣタグリーダ１、２１、３１では、ループ型アンテナ３、４のアンテナ面３ａ、４ａは、側面２ａから略垂直に突出する直線５や側面２ａと略平行な直線２２を軸に回転し、角度θにて互いに交差するだけではなく、側面２ａに対して傾いた直線を軸に回転し、角度θにて互いに交差することとしてもよい。
【００２８】
次に、このＩＣタグリーダ１を用いてコンクリート供試体の識別を行う方法について説明する。
まず、コンクリート供試体用の型枠内に生コンクリートを打設し、次いで、この生コンクリートを硬化し、その後脱型して、図２に示す所定の大きさ、所定の形状のコンクリート供試体１１を作製する。コンクリート供試体１１中にはＩＣタグ１２が埋め込まれている。作製されるコンクリート供試体１１の数は、コンクリート１配合につき３本である。
【００２９】
この生コンクリートを打設する際に、この生コンクリート中にＩＣタグ１２を埋め込む。埋め込み方法は、型枠内にＩＣタグ１２を配置した後、生コンクリートを流し込んでもよく、型枠内に生コンクリートを流し込む途中でＩＣタグ１２を埋め込んでもよく、生コンクリートを流し込んだ後、この生コンクリートの打設面からＩＣタグ１２を埋め込んでもよい。
【００３０】
この場合、ＩＣタグ１２のアンテナ部における交信を考慮すると、アンテナ部の方向は問わないが、アンテナ部のアンテナ面は型枠の内面から３ｃｍ以内の領域に位置していることが好ましく、より好ましくは１ｃｍ以内の領域である。
このＩＣタグ１２のアンテナ面の埋め込み位置を、型枠の内面から３ｃｍ以内の領域とすることにより、このＩＣタグ１２のアンテナ面が型枠の内面に対して３次元のいずれの方向に傾斜した場合であっても、ＩＣタグ１２の情報の読み取り／書き込みを行う際の感度及び安定性が良好となる。
【００３１】
このＩＣタグ１２には、コンクリートに関する情報を書き込んでもよく、あるいは、コンクリートに関する情報をサーバやパーソナルコンピュータ等に保存し、これらに対応するＩＤ番号をＩＣタグに書き込み、このＩＤ番号をＩＣタグリーダで読み込み、サーバやパーソナルコンピュータ等に保存されたコンクリートに関する情報と対応させてもよい。
このＩＣタグ１２への情報の書き込みは、コンクリート供試体への埋め込み前でも埋め込み後でもよい。
【００３２】
このＩＣタグ１２としては、アクティブ型、パッシブ型のいずれでも構わないが、ＩＣタグ１２は強度試験後、廃棄される等の点を考慮すると、パッシブ型が好ましい。また、このＩＣタグ１２は、コンクリート供試体１１に関する識別情報またはＩＤ番号等の書き込み／読み取りが可能なものであればよいが、識別情報の改ざん等を防止するためには、既に書き込まれた識別情報やＩＤ番号等の消去や上書きができず、識別情報の追加部分を書き込むのみとしたものが好ましい。
【００３３】
コンクリートに関する情報としては、
（１）コンクリート供試体の作製日、生コンクリートを製造した工場名、製造ロット番号等
（２）生コンクリートの品質（スランプ、空気量、塩化物イオン量、練りあがり温度等）
（３）生コンクリートの原材料（骨材の産地、種類、密度等）
（４）生コンクリートの組成（材料の種類、配合比）
（５）生コンクリートの納入先、納入時間、荷下ろし時間
（６）圧縮強度（試験日、試験データ等）
（７）その他、仕様等で定められた項目
等がある。
【００３４】
次いで、この生コンクリートを硬化・脱型し、次いで、所定の温度にて所定の時間、水中養生を施し、コンクリート供試体１１とする。これにより、ＩＣタグ１２が埋め込まれたコンクリート供試体１１が得られる。
【００３５】
次いで、このコンクリート供試体１１のＩＣタグ１２に記録された情報をＩＣタグリーダ１を用いて非接触にて読み取り、この読み取った情報を基にコンクリート供試体１１の識別を行う。
特に、水中養生を行う際、同一配合のコンクリート供試体を一箇所に集めて養生槽中に静置するためには、コンクリート供試体の識別が必要となる。さらに、所定期間養生したコンクリート供試体は、強度試験が行われるが、この時に、試験日の確認、コンクリート供試体に使用されたコンクリートに関する情報と試験結果を対応させるためにコンクリート供試体の識別が必要となる。
【００３６】
ここでは、ＩＣタグリーダ１を手に持ち、ＩＣタグリーダ１のループ型アンテナ３、４のアンテナ面３ａ、４ａを、コンクリート供試体１１に対して上から挿通する。
なお、ＩＣタグリーダ２１の場合も同様に、このＩＣタグリーダ２１のループ型アンテナ３、４のアンテナ面３ａ、４ａを、コンクリート供試体１１に対して上から挿通すればよいが、ＩＣタグリーダ３１の場合には、ループ型アンテナ３、４が互いに離間しているので、これらのループ型アンテナ３、４のアンテナ面３ａ、４ａのうち少なくともいずれか一方を、コンクリート供試体１１に対して上から挿通することとすればよい。
また、ＩＣタグリーダ１が１つのループ型アンテナ３（４）しか備えていない場合には、このＩＣタグリーダ１のループ型アンテナ３（４）のアンテナ面３ａ（４ａ）を、コンクリート供試体１１に対して上から挿通すればよい。
【００３７】
これにより、コンクリート供試体１１に埋め込まれたＩＣタグ１２のアンテナ面がどのような方向を向いていた場合においても、アンテナ面３ａ、４ａの向きが異なるループ型アンテナ３、４のうち少なくともいずれか一方が、必要とされるお互いのアンテナ面の向き（角度）の条件を満たすことにより、ＩＣタグ１２を検出することができる。
【００３８】
また、コンクリート供試体１１の外側からアンテナをかざすのではなく、ループ型アンテナ３、４のアンテナ面３ａ、４ａを、ＩＣタグ１２が埋め込まれたコンクリート供試体１１が通過するように、ループ型アンテナ３、４を動かすので、ＩＣタグ１２がコンクリート供試体１１の裏側や側面に埋め込まれていたとしても、ループ型アンテナ３、４のアンテナ面３ａ、４ａをＩＣタグ１２が通過する際に検出することができる。したがって、ＩＣタグリーダ１を様々な方向に動かして、ＩＣタグ１２の位置を捜す必要がない。
【００３９】
また、コンクリート供試体１１を動かすことにより、このコンクリート供試体１１をループ型アンテナ３、４のアンテナ面３ａ、４ａを通過するようにしても、全く同様に検出することができる。
さらに、このＩＣタグリーダ１では、ループ型アンテナ３、４間の干渉が問題となる場合には、ループ型アンテナ３、４に交互に信号を送ることもできる。
【００４０】
以上により、本実施形態のＩＣタグの読み取り／書き込み方法によれば、ＩＣタグリーダ１のループ型アンテナ３、４の少なくとも一方または双方にコンクリート供試体１１を挿通させることにより、極めて簡易にＩＣタグ１２を捜し出すことができ、このＩＣタグ１２における情報の読み取り／書き込みを簡易かつ正確に行うことができる。したがって、ＩＣタグ１２の情報の読み取り／書き込み作業の繁雑さをなくすことができ、この読み取り／書き込み作業の効率を向上させることができ、この読み取り／書き込みの正確性を向上させることができる。
【００４１】
本実施形態のＩＣタグリーダ１によれば、複数のループ型アンテナ３、４のそれぞれのアンテナ面３ａ、４ａを、角度θにて互いに交差するようにしたので、ＩＣタグ１２が埋め込まれたコンクリート供試体１１がループ型アンテナ３、４の少なくとも一方または双方を通るようにＩＣタグリーダ１を動かすだけで、コンクリート供試体１１に埋め込まれたＩＣタグ１２の情報の読み取り／書き込みを簡易かつ正確に行うことができ、この読み取り／書き込み作業の効率性及び正確性を向上させることができる。
また、ループ型アンテナ３、４を動かす距離を短くすることができ、作業性及び作業効率を向上させることができる。
【００４２】
「第２の実施形態」
図５は、本発明の第２の実施形態のＩＣタグリーダを示す斜視図であり、本実施形態のＩＣタグリーダ４１が第１の実施形態のＩＣタグリーダ１と異なる点は、第１の実施形態のＩＣタグリーダ１では、リーダ本体２の側面２ａから略垂直に突出するループ型アンテナ３、４のアンテナ面３ａ、４ａを、そのアンテナ面３ａ、４ａ内にて角度θにて互いに交差するようにしたのに対し、本実施形態のＩＣタグリーダ４１では、１本のアンテナ線４２を複数回巻回（図５では２回）して円環状に曲げられたループアンテナ部４３、４４とし、これらのループアンテナ部４３、４４のそれぞれのアンテナ面４３ａ、４４ａを、側面２ａから略垂直に突出する直線４５を軸に回転させることにより角度θにて互いに交差するようにした点であり、それ以外の点については、第１の実施形態のＩＣタグリーダ１と同様である。
【００４３】
このＩＣタグリーダ４１を用いて、このコンクリート供試体１１のＩＣタグ１２に記録された情報を非接触にて読み取る場合、このＩＣタグリーダ４１を手に持ち、図６に示すように、ＩＣタグリーダ４１のループアンテナ部４３、４４のそれぞれのアンテナ面４３ａ、４４ａを、コンクリート供試体１１に対して上から挿通する。
本実施形態においても、コンクリート供試体１１に埋め込まれたＩＣタグ１２のアンテナ面がどのような方向を向いていた場合においても、アンテナ面４３ａ、４４ａの向きが異なるループアンテナ部４３、４４のうち少なくともいずれか一方が、必要とされるお互いのアンテナ面の向き（角度）の条件を満たすことにより、ＩＣタグ１２を検出することができる。
【符号の説明】
【００４４】
１  ＩＣタグリーダ
２  リーダ本体
２ａ  側面
３、４  ループ型アンテナ
３ａ、４ａ  アンテナ面
５  直線
１１  コンクリート供試体
１２  ＩＣタグ
２１  ＩＣタグリーダ
２２  直線
３１  ＩＣタグリーダ
３２、３３  直線
３４  交点
４１  ＩＣタグリーダ
４２  アンテナ線
４３、４４  ループ型アンテナ
４３ａ、４４ａ  アンテナ面
４５  直線
【図１】
2010231523.tif 000003
【図２】
2010231523.tif 000004
【図３】
2010231523.tif 000005
【図４】
2010231523.tif 000006
【図５】
2010231523.tif 000007
【図６】
2010231523.tif 000008